(57)【要約】【課題】塗香などの粉体または粒体を少量ずつ取出すことができる振出し容器を提供することにある。【解決手段】収容部１３を有する容器本体１０と、容器本体１０の開口部１１に嵌め込まれて収容部１３を閉じる中栓２０と、有底部３１を有するとともに容器本体１０を封止する蓋３０とからなっている。中栓２０はその一端開口部２１側に広径の第１ロート状部２２を有し、第１ロート状部２２の末端部に狭窄部２３を有し、狭窄部２３から中栓２０の他端開口部２４側に向かって拡開する第２ロート状部２５を有する。また、蓋３０の有底部３１にはこの有底部３１から突出する封止棒３２が設けられており、容器本体１０をこの蓋３０で閉じた状態で、封止棒３２が狭窄部２３に挿入されて収容部１３を封止する。【選択図】図１
0003209148.tif 000002
【実用新案登録請求の範囲】
【請求項１】
粉体または粒体を収納する収納部を有する容器本体と、前記容器本体の開口部に嵌め込まれる中栓と、有底部を有するとともに前記容器本体を封止する蓋とからなり、
前記中栓は一端開口部と他端開口部を有し、前記他端開口部が前記容器の収納部側に配置され、前記一端開口部側に広径の第１ロート状部を有するとともに、前記第１ロート状部の末端部に狭窄部を有し、前記狭窄部から前記中栓の他端開口部側に向かって拡開する第２ロート状部を有しており、
前記蓋の有底部には当該有底部から突出する封止棒が設けられており、前記容器本体を前記蓋で閉じ状態で、前記封止棒は前記狭窄部を封止することを特徴とする振出し容器。
【請求項２】
前記中栓は一端開口部付近の側壁には互いに対向する平坦部が形成されている、請求項１に記載の振出し容器。
【請求項３】
前記中栓の他端開口部から一端開口部に向かって当該中栓の壁にスリットが形成されている、請求項１に記載の振出し容器。
【請求項４】
前記中栓の他端開口部側の外壁に膨張部が形成されている、請求項１に記載の振出し容器。
【請求項５】
前記粉体または前記粒体は塗香である、請求項１に記載の振出し容器。
【考案の詳細な説明】
【技術分野】
【０００１】  この考案は、粉体または粒体、たとえば塗香を少量ずつ取出すことができる携帯可能な振出し容器に関する。
【背景技術】
【０００２】  化学調味料、香辛料、塩、塗香などの粉体または粒体を振出す容器の例として、特許文献１および特許文献２に開示されている塗香容器がある。これらの塗香容器はいずれも密閉性に優れ、かつ携帯に便利で、軽量な振出し容器を提供可能としたものである。【０００３】  これらの塗香容器は、外側部材の内部に、粉体または粒体からなる塗香が収納される収納部を有する内側筒状体を上下動摺動可能に配置したものである。内側筒状体を外側部材の底部に配置されているスプリングバネの弾性に抗して押下げ、収納部側の細孔と外側部材側の細孔とを連通させると、貫通した細孔の通路に塗香を流入させることができる。この状態で塗香容器を軽く振ることにより、通路に滞留している塗香を外部に振り出すことができる。【０００４】  しかし、塗香の粉体または粒体が細かい粒径であるため、塗香の収納部の細孔と外側部材の細孔とが位置ずれすると、両者に隙間が発生して内側筒状体と外側部材の間に塗香が残留することになる。
【先行技術文献】
【特許文献】
【０００５】
【特許文献１】  実用新案登録第３０９０２７１号
【特許文献２】  実用新案登録第３１３９２４３号
【考案の概要】
【考案が解決しようとする課題】
【０００６】  この考案は、バネなどによる可動部がなく、化学調味料、香辛料、塩、塗香などの粉体または粒体を収納する容器本体への粉体または粒体の充填や、容器本体から粉体または粒体の振出しが容易に行える振出し容器を提供することを目的とする。
【課題を解決するための手段】
【０００７】  上記目的を達成するために、この考案の第１の要旨とするところは、粉体または粒体を収納する収納部を有する容器本体と、前記容器本体の開口部に嵌め込まれる中栓と、有底部を有するとともに前記容器本体を封止する蓋とからなり、
前記中栓は一端開口部と他端開口部を有し、前記他端開口部が前記容器の収納部側に配置され、前記一端開口部側に広径の第１ロート状部を有するとともに、前記第１ロート状部の末端部に狭窄部を有し、前記狭窄部から前記中栓の他端開口部側に向かって拡開する第２ロート状部を有しており、
前記蓋の有底部には当該有底部から突出する封止棒が設けられており、前記容器本体を前記蓋で閉じた状態で、前記封止棒は前記狭窄部を封止することを特徴とする振出し容器である。【０００８】  また、この考案の第２の要旨とするところは、第１の要旨において、前記中栓は一端開口部付近の側壁に互いに対向する平坦部が形成されている振出し容器である。
さらに、この考案の第３の要旨とするところは、第１の要旨において、前記中栓の他端開口部から一端開口部に向かって当該中栓の壁にスリットが形成されている振出し容器である。
さらに、この考案の第４の要旨とするところは、第１の要旨において、前記中栓の他端開口部側の外壁に膨張部が形成されている振出し容器である。
さらにまた、この考案５の要旨とするところは、第１の要旨において、前記粉体または前記粒体は塗香であることを特徴とする振出し容器である。【０００９】  なお、この考案の第１の要旨において、前記中栓の前記第２ロート状部は、前記中栓の他端開口部に至る途中まで形成したものであったり、前記中栓の他端開口部に至るまで形成したものでも良い。
【考案の効果】
【００１０】  この考案にかかる振出し容器によれば、容器本体の収容部に粉体または粒体を入れるときは中栓を取り除くことで、粉体入れまたは粒体入れの作業が容易に行える。
また、この考案にかかる振出し容器によれば、容器本体の収容部に粉体または粒体を入れた後は中栓を嵌めることで粉体または粒体の収容が行え、さらに蓋をすることで狭窄部が蓋の封止棒で塞がられるので、粉体または粒体が漏れ出る恐れがなくなる。【００１１】  粉体または粒体を取出す際に振出し容器を振ると、粉体または粒体は中栓の第２ロート状部の斜面から狭窄部を経て第１ロート状部の斜面を滑動しながら送り出され、粉体または粒体をスムーズに取出すことができ、しかも、粉体または粒体が狭窄部を通過するので一度に多量に振出される恐れがない。【００１２】  また、中栓の一端開口部側の側壁に平坦部を形成することにより、指先で中栓を確実に掴むことができ、中栓を容器本体から外したり、中栓を容器本体に容易に嵌めることができる。
さらに、この考案にかかる振出し容器によれば、各構成部分が分解することができるので、内部に粉体または粒体が残留した場合でも、容易に取り除くことができ、分解掃除が容易に行える。【００１３】  さらに、この考案にかかる振出し容器によれば、中栓にスリットを形成することにより、中栓を容器本体に嵌め込む際に、他端開口部側を縮ませる役割を果たし、嵌め込みが容易になる。
さらにまた、この考案にかかる振出し容器によれば、中栓の他端開口部側の外壁に膨張部を形成することにより、容器本体の収容部との密着度を高めることができる。したがって、この振出し容器を振った場合、容器本体から中栓が脱落するのを防止できる。
【図面の簡単な説明】
【００１４】
【図１】この考案にかかる振出し容器の一例を示す断面図である。
【図２】この考案にかかる振出し容器の一例において、中栓を嵌めた状熊の容器本体を示す上面図である。
【図３】この考案にかかる振出し容器の一例において、中栓の一端開口部側の一部を示す斜視図である。
【図４】この考案にかかる振出し容器の一例において、中栓にスリットと膨張部を設けた例を示す断面図である。
【図５】この考案にかかる振出し容器の他の例を示す断面図である。
【考案を実施するための形態】
【００１５】  添付した図１から図４にもとづいて、この考案にかかる振出し容器の一例について説明する。
図１から図４に示した振出し容器は、容器本体１０と、容器本体１０の開口部１１に嵌め込まれて収容部１３を閉じる中栓２０と、有底部３１を有するとともに容器本体１０を封止する蓋３０とからなる。
【００１６】  まず、容器本体１０について説明する。容器本体１０は筒状で、木製のものである。容器本体１０は一端に開口部１１を有し、他端に有底部１２を備えた横断面が円筒状の収容部１３を有する。開口部１１側の外部側壁にはネジ部１４が形成されている。このネジ部１４を形成することにより、開口部１１側には段部１５が形成されている。この段部１５は後に説明する蓋３０を取り付けるときのストッパーの役割を果たす。
【００１７】  次ぎに、中栓２０について説明する。この中栓２０は容器本体１０と同様木製のもので、収容部１３に嵌り込む外径寸法を有する。この中栓２０は一端から他端まで貫通しており、そのうち一端開口部２１側にはこの開口部２１側が広径となっている第１ロート状部２２を有する。また第１ロート状部２２の末端部、つまり開口部２１と反対位置には狭窄部２３を有する。この狭窄部２３の径寸法は後に説明する封止棒が嵌る外径寸法に合わせて形成されている。狭窄部２３から中栓２０の他端開口部２４側に向かって拡開する第２ロート状部２５を有する。
【００１８】  図１に示したものは第２ロート状部２５が他端開口部２４に至る途中まで形成されており、その途中から他端開口部２４までは同じ内径寸法の空間２６が形成されている。また、中栓２０の一端開口部２１側の側壁に互いに対向する位置に平坦部２７ａ、２７ｂが形成されている。この平坦部２７ａ、２７ｂは中栓２０を容器本体１０に嵌め込んだり、中栓２０を容器本体１０から外す作業が容易になる。なお、中栓には一端開口部２１側の外壁に段部２８が形成されており、中栓２０を容器本体１０に嵌め込んだ際のストッパーの役目を果す。
【００１９】    また、中栓２０については、図４に示すように、他端開口部２４から一端開口部２１に向かって中栓２０の壁にスリットＳを形成してもよい。このスリットＳは狭窄部２３にまでは至らないように形成される。このスリットＳは中栓２０を容器本体１０に嵌め込む際に、他端開口部２４が縮ませる役割を果たし、嵌め込みが容易になる。このスリットＳは図４では一ヶ所しか図示されていないが、互いに対向する位置に一組以上設けてもよい。
【００２０】  さらに、中栓２０の他端開口部２４側において、中栓２０の外壁側に膨張部２９を形成してもよい。この膨張部２９の外径寸法Ｄ２は狭窄部２３側の中栓２０の外径Ｄ１と比較して大きくなっている。この膨張部２９を形成することにより、容器本体１０の収容部との密着度を高めることができる。したがって、この振出し容器を振った場合、容器本体１０から中栓２０が脱落するのを防止できる。
【００２１】  次ぎに、蓋３０の構成について説明する。この蓋３０は容器本体１０と同じ外径寸法で、有底部３１を有しており、容器本体１０と同様木製からなる。
有底部３１にはこの有底部３１から突出する封止棒３２が設けられている。この封止棒３２は有底部３１に設けた穴３３に挿入固定されている。蓋３０の開口端部３４側内壁にはネジ部３５設けられており、容器本体１０のネジ部１４と螺合する。蓋３０を容器本体１０に螺合すると、蓋３０の開口端部３４が容器本体１０の段部１５に当接し、段部１５がストッパー役となって収容部１３を密閉することになる。また、封止棒３２はその外径寸法が狭窄部２３に嵌合するように設定されており、容器本体１０をこの蓋３０で閉じたとき、封止棒３２が狭窄部２３に挿入され、収容部１３を封止することになる。
【００２２】  図５はこの考案にかかる振出し容器の他の例を示している。図５において、先の実施例との違いは、中栓２０の第２ロート状部２５が狭窄部２３から中栓２０の他端開口部２４に至るまで形成されていることが特徴である。この構成によれば、振出しの粉または粒が段差のない第２ロート状部２５の斜面をスムーズに滑動することになる。
【符号の説明】
【００２３】  １０  容器本体
１１  開口部
１２  有底部
１３  収容部
２０  中栓
２１  一端開口部
２２  第１ロート状部
２３  狭窄部
２４  他端開口部
２５  第２ロート状部
２７ａ、２７ｂ  平坦部
２９  膨張部
３０  蓋
３１  有底部
３２  封止棒
Ｓ    スリット
【図１】
0003209148.tif 000003
【図２】
0003209148.tif 000004
【図３】
0003209148.tif 000005
【図４】
0003209148.tif 000006
【図５】
0003209148.tif 000007